(57)【特許請求の範囲】
【請求項１】
地盤の上に鉄筋を配設してコンクリートを打ち継ぐことにより所定厚さの耐圧板を形成するようにした耐圧板の打継工法に使用する耐圧板の打継工具において、該打継工具は垂直部材と水平部材とを有する剛構造により形成され、前記垂直部材の外側の高さ方向に間隔をあけて複数の掛止部材を固設すると共に前記垂直部材に縦方向に固設された長尺のナットにネジ棒を螺合し、該ネジ棒に水平定規を着脱自在に固定するキャッチ具を設けて成り、コンクリートの打継部に前記打継工具を所定間隔で配列すると共に前記掛止部材の夫々に横方向に掛け止めした支持用鉄筋に仕切材を固定する一方、地盤の上に設けられた鉄筋にストッパを固設して該ストッパで夫々の前記打継工具の水平部材の端部を支持することにより該打継工具の水平方向の移動を規制し、前記水平定規の高さ調節を行うことによってコンクリートの打設高さを規定した状態でコンクリートを打ち継ぐようにしたことを特徴とする耐圧板の打継工具。
【請求項２】
前記キャッチ具は、前記ネジ棒のネジ溝を長手の途中で逆転させて該ネジ棒の下側ネジ溝を前記打継工具のナットに螺合すると共に、第１のアングル板と第２のアングル板との互いの水平板部を離間した状態で垂直部同士を固着してこれらの水平部に前記ネジ棒の上側ネジ溝を螺入すると共に、前記第２のアングル板の水平部に垂直に螺合したボルトと前記第１のアングル板の水平部との間で長尺のアングル材から成る水平定規の水平部を挟持して固定して成り、前記コンクリートの打継部に沿って所定間隔で配置した打継工具ごとに前記キャッチ具を設けて前記水平定規を固定することができ、前記キャッチ具の夫々のネジ棒を回動することによって前記水平定規の垂直部の頂辺をコンクリートの打設高さに合わせて調整するようにしたことを特徴とする請求項１記載の耐圧板の打継工具。
【請求項３】
前記ストッパは１対の挟持枠をヒンジ構造により結合し、該挟持枠に形成した鉄筋挟持部に地盤の上に配設した鉄筋を挟持した状態で前記両側の挟持枠をボルトとナットで締結することにより、地盤の上に配設した鉄筋に固定するようにしたことを特徴とする請求項１記載の耐圧板の打継工具。
【請求項４】
前記打継工具の垂直部材に固設した掛止部材は、その上端が前記垂直部材側に下り勾配を成することを特徴とする請求項１記載の耐圧板の打継工具。
【発明の詳細な説明】
【０００１】
【発明の属する技術分野】
本発明は、地盤の上に配設した鉄筋にコンクリートを打ち継ぐことによって耐圧板を形成する際に、打継部を仕切るための網目部材を所定箇所に支持するための耐圧板の打継工具に関するものである。
【０００２】
【従来の技術】
従来から、建築物の下部構造として、地盤の上に耐圧板と称せられる鉄筋コンクリート構造の基礎を構築することが行われている。
【０００３】
このような耐圧板の従来の施工法を説明すると、図７に示すように、地盤の上に打設した捨てコンクリート４０の上にスペーサ４１を介して鉄筋４２を配設し、所定厚さのコンクリート４３を打ち継ぐことにより、鉄筋コンクリート構造の耐圧板４４を構成するものである。
【０００４】
このような従来の耐圧板４４においては、コンクリート４３の打継部にメタルラス等の目の細い網目部材４５を設けることが行われている。
【０００５】
この網目部材４５を所定箇所に固定するために、従来は、捨てコンクリート４０の上に配した鉄筋４２に縦方向の支持用鉄筋４６を立てて溶接し、またこの縦方向の支持用鉄筋４６に横方向の支持用鉄筋４７を配して必要箇所で結束または溶接すると共に、これらの鉄筋を斜め方向の支持用鉄筋４８で溶接し、さらに網目部材４５を縦方向及び横方向の支持用鉄筋４６、４７に結束線によって固定するという面倒な作業を必要としていたのである。
【０００６】
なお、図７において、網目部材４５と支持用鉄筋４６、４７、４８の一部を示してあるが、実際においては、このような網目部材４５と支持用鉄筋４６、４７、４８でコンクリート打継部を包囲することが必要となる。
【０００７】
【発明が解決しようとする課題】
上記のように、従来の耐圧板の打継工法においては、コンクリートを打ち継ぐための仕切りとして用いる網目部材を所定箇所に固定するために、多くの溶接作業及び結線作業を必要とし、また、網目部材を固定するための横方向及び縦方向の支持用鉄筋を多数量必要とし、このためにコンクリート打継ぎ作業に多大なる手間と工費を必要としていたのである。
【０００８】
本発明は、以上のような問題点を解消するために成されたもので、鉄筋コンクリートによる耐圧板を打ち継いで行くための耐圧板の打継工法を行う際に溶接作業を必要とせず、網目部材を支持するための支持用鉄筋を必要最小限で済ませることにより、耐圧板のコンクリート打継ぎ作業を簡単且つ低コストで行えるようにした耐圧板の打継工法を提供することを目的とする。
【０００９】
【課題を解決するための手段】
上記の目的を達成するために、本発明の請求項１の耐圧板の打継工具は、地盤の上に鉄筋を配設してコンクリートを打ち継ぐことにより所定厚さの耐圧板を形成するようにした耐圧板の打継工法に使用する耐圧板の打継工具において、該打継工具は垂直部材と水平部材とを有する剛構造により形成され、前記垂直部材の外側の高さ方向に間隔をあけて複数の掛止部材を固設すると共に前記垂直部材に縦方向に固設された長尺のナットにネジ棒を螺合し、該ネジ棒に水平定規を着脱自在に固定するキャッチ具を設けて成り、コンクリートの打継部に前記打継工具を所定間隔で配列すると共に前記掛止部材の夫々に横方向に掛け止めした支持用鉄筋に仕切材を固定する一方、地盤の上に設けられた鉄筋にストッパを固設して該ストッパで夫々の前記打継工具の水平部材の端部を支持することにより該打継工具の水平方向の移動を規制し、前記水平定規の高さ調節を行うことによってコンクリートの打設高さを規定した状態でコンクリートを打ち継ぐようにしたことを特徴とする。
【００１０】
また、本発明の請求項２の耐圧板の打継工具は、請求項１において、前記キャッチ具は、前記ネジ棒のネジ溝を長手の途中で逆転させて該ネジ棒の下側ネジ溝を前記打継工具のナットに螺合すると共に、第１のアングル板と第２のアングル板との互いの水平部を離間した状態で垂直部同士を固着してこれらの水平部に前記ネジ棒の上側ネジ溝を螺入すると共に、前記第２のアングル板の水平部に垂直に螺合したボルトと前記第１のアングル板の水平部との間で長尺のアングル材から成る水平定規の水平部を挟持して固定して成り、前記コンクリートの打継部に沿って所定間隔で配置した打継工具ごとに前記キャッチ具を設けて前記水平定規を固定することができ、前記キャッチ具の夫々のネジ棒を回動することによって前記水平定規の垂直部の頂辺をコンクリートの打設高さに合わせて調整するようにしたことを特徴とする。
【００１１】
また、本発明の請求項３の耐圧板の打継工具は、請求項１において、前記ストッパは１対の挟持枠をヒンジ構造により結合し、該挟持枠に形成した鉄筋挟持部に地盤の上に配設した鉄筋を挟持した状態で前記両側の挟持枠をボルトとナットで締結することにより、地盤の上に配設した鉄筋に固定するようにしたことを特徴とする。
【００１２】
さらに、本発明の請求項４の耐圧板の打継工具は、請求項１において、前記打継工具の垂直部材に固設した掛止部材は、その上端が前記垂直部材側に下り勾配を成することを特徴とする。
【００１３】
【発明の実施の形態】
以下、本発明の実施例を図面を参照しながら説明する。
【００１４】
本発明は、図１または図２示すように、地盤２の上に鉄筋３（横筋３ａ、縦筋３ｂ）を配設してコンクリート４（図３参照）を打ち継ぐことにより所定厚さの耐圧板を形成するようにした耐圧板の打継工法に使用する耐圧板の打継工具を構成したものである。
【００１５】
打継工具５は垂直部材６と水平部材７とを有する剛構造により形成され、垂直部材６の外側の高さ方向に間隔をあけて複数の掛止部材８、８…を固設すると共に垂直部材６に縦方向に固設された長尺のナット２０（図６参照）に螺合したネジ棒９に水平定規１０を着脱自在に固定するキャッチ具１１を設けて成るものである。
【００１６】
このような構成をより詳細に述べると、打継工具５を構成する垂直部材６は断面長方形の鋼材から成り、また水平部材７はパイプ鋼材から成り、これらの垂直部材６と水平部材７とをパイプ鋼材から成る斜め材１２によって結合し、全体を三角形状に構成することによって剛構造を形成している。
【００１７】
図６に示すように、打継工具５の垂直部材６の内方の上部には、長尺のナット２０を縦方向に溶着してあり、このナット２０に上方からネジ棒９を螺入するようにしている。
【００１８】
また、図３に示すように、打継工具５の垂直部材６の外側には高さ方向に所定の間隔をあけて複数の掛止部材８、８…を固設している。この掛止部材８は、図６に示すように、その上端が垂直部材６側に下り勾配を成す掛止面８ａを有し、掛止部材８の掛止面８ａに支持用鉄筋１４を上方から掛けるだけで該支持用鉄筋１４が脱落しないように取り付けることができる。
【００１９】
支持用鉄筋１４は後述する網目部材等の仕切材１５を固定するために設けられたものであり、コンクリート打設による側方への圧力を仕切材１５と複数の支持用鉄筋１４、１４…で支持することができる。
【００２０】
また、図５に示すように、キャッチ具１１は夫々が断面Ｌ字形の第１のアングル板１６と第２のアングル板１７とを有し、第１のアングル板１６は水平部１６ａと垂直部１６ｂとが断面Ｌ字形に折曲され、第２のアングル板１７は水平部１７ａと垂直部１７ｂとが断面Ｌ字形に折曲されて成り、第１のアングル板１６と第２のアングル板１７の夫々の水平部１６ａ、１７ａを上下に離間した状態で垂直部１６ｂ、１７ｂが互いに固着されている。
【００２１】
一方、長尺のネジ棒９には長手の途中の逆転部９ｃを境に右回りと左回りとを逆転させた上側ネジ溝９ａと下側ネジ溝９ｂとが形成され、このネジ棒９の下側ネジ溝９ｂを垂直部材６に固定された長尺のナット２０に螺合し、さらに第１のアングル板１６と第２のアングル板１７の夫々の水平部１６ａ、１７ａに形成された雌ネジ１８ａ、１８ｂにネジ棒９の上側ネジ溝９ａを螺入している。
【００２２】
さらに、第２のアングル板１７の水平部１７ａの端部寄りに形成した雌ネジ１９にボルト２１を垂直に螺合する。この場合、ボルト２１の螺合強度を増すために、第２のアングル板１７の水平部１７ａの雌ネジ１９と合致するナット２２を固着して、これにボルト２１を螺入するようにしている。
【００２３】
水平定規１０は、図１または図２に示すように断面Ｌ字形の長尺のアングル材から形成され、図５に示すように、このアングル材の水平部１０ａをボルト２１の下端部と第２のアングル板１７の水平部１７ａとの間に挟んでボルト２１を締めることにより固定するようにしている。
【００２４】
上記のキャッチ具１１は、図１または図２に示すように、コンクリートの打継部に沿って所定間隔で配置した打継工具５、５…ごとに設けて夫々のキャッチ具５、５…で水平定規１０を固定することができ、図５に示すように、夫々のキャッチ具１１のネジ棒９を回動することによって、打継工具５の垂直部材６の高さを一定にしたまま、水平定規１０の垂直部１０ｂの頂辺をコンクリートの打設高さＨに合わせて調整することができる。
【００２５】
なお、ネジ棒９の上端には矩形の突出部９ｄを形成してあり、この突出部９ｄにスパナ等を係合して回動することにより、ネジ棒９を容易に回動することができる。
【００２６】
また、ストッパ１３は、図４に示すように１対の挟持枠２７、２７を嵌合し、両側の挟持枠２７、２７に形成したボルト孔２９にボルト２９ａを挿通してナット２９ｂで締結したヒンジ構造により開閉自在に結合すると共に、これらの挟持枠２７、２７に切欠形成した鉄筋挟持部２８、２８に地盤２の上に配設した鉄筋３を挟持し、この状態を挟持枠２７、２７に形成したボルト孔３０に貫通したボルト３０ａとナット３０ｂで締め付けることにより、ストッパ１３を鉄筋３に対して固定するようにしている。
【００２７】
そして、図３に示すように、打継工具５の水平部材７の端部をストッパ１３の側面に当てることにより、ストッパ１３で打継工具５の水平方向の移動を規制することが可能となる。
【００２８】
なお、図１において、ストッパ１３はコンクリート打継部に平行に配設された横筋３ａに固定しているが、図２または図３においては、打設したコンクリート４に固定される方向に延長された縦筋３ｂにストッパ１３を固定するようにしている。このようなストッパ１３の固定方法において、図３に示すものは、ストッパ１３を固定した縦筋３ｂがコンクリート４によって固定された状態となるため、縦筋３ａの移動がなく、ストッパ１３の固定を定位置に保つことができる。
【００２９】
また、このように打設コンクリート４方向に延長された縦筋３ｂにストッパ１３を固定する場合、図２に示すように、打継工具５の垂直部材６の下端部に切欠溝６ａを設けて該切欠溝６ａで縦筋３ｂを跨ぐような構造とするのが好ましい。
【００３０】
上記の打継工具５を用いた施工方法について説明すると、図１に示すように、土壌の上に捨てコンクリートを打設した地盤２の上にスペーサ２ａを介して縦方向と横方向に配設した鉄筋３を結束線３ｃで結束し、コンクリートの打継部に沿って必要数の打継工具５、５…を所定間隔で配列すると共に、地盤２の上の鉄筋３（横筋３ａまたは縦筋３ｂ）の所定位置にストッパ１３、１３…を打継工具５、５…に対応した間隔で固定して、夫々の打継工具５の水平部材７の端部を支持することにより、打継工具５の水平移動を規制する。
【００３１】
次いで、個々の打継工具５、５…の掛止部材８、８…の夫々に横方向に支持用鉄筋１４、１４…を掛け止めした後、これらの支持用鉄筋１４、１４…に仕切材１５を結束線３２で固定する。
【００３２】
さらに、夫々の打継工具５のキャッチ具１１にボルト２１の締付けによって水平定規１０を固定し、夫々のネジ棒９、９…の回動によって水平定規１０の高さ調節を行うことにより、水平定規１０の頂辺の高さによってコンクリートの打設高さを規定した状態とする。
【００３３】
そして、網目部材等の仕切材１５を境としてコンクリートを打ち継ぎ、打設コンクリートが固まった時点で鉄筋３に固定したストッパ１３のボルト３０ａ（ナット３０ｂ）を緩め付けることにより、ストッパ１３を取り外して夫々の打継工具５、５…を撤去し、次のコンクリート打継位置に移動して、上記と同様の手順でコンクリートを打ち継いで行くこととなる。
【００３４】
【発明の効果】
以上説明したように、耐圧板のコンクリート打継位置で網目部材等の仕切材を固定支持するために必要としていた従来の縦方向、横方向及び斜め方向の支持用鉄筋は、本発明において、横方向の鉄筋だけで済み、また本発明においては、打継工具の掛止部材に横方向の鉄筋を掛け止めするだけで取り付けることができるため、溶接手段をまったく使用する必要がなく、簡単且つ低コストで仕切材の設置が可能となる。
【００３５】
さらに、本発明においては、鉄筋に固定したストッパを使用することにより、打継工具の水平位置を保持することができるため、従来のように斜め方向の支持用鉄筋を使用する必要がない。
【００３６】
また、水平定規の高さ調節をスパナ等によるネジ棒の回動によって行うことができ、この水平定規を使用することによってコンクリートの打設高さを正確に規定することができる。
【図面の簡単な説明】
【図１】本発明による耐圧板の打継工具を用いた打継工法を示す斜視図である。
【図２】本発明による耐圧板の打継工具を用いた打継工法を示すもので、地盤の上に設けられた鉄筋のうち打継コンクリートに固定される方向に延長された縦筋にストッパを固定した状態を示す斜視図である。
【図３】本発明による耐圧板の打継工具を用いた耐圧板の打継工法の施工例を示す側面図である。
【図４】本発明におけるストッパの斜視図である。
【図５】本発明におけるキャッチ具の分解斜視図である。
【図６】本発明における打継工具の上部周辺の部材を示す斜視図である。
【図７】従来の耐圧板のコンクリート打継工法を示す斜視図である。
【符号の説明】
２…地盤
３…鉄筋
３ａ…横筋
３ｂ…縦筋
４…コンクリート（耐圧板）
５…打継工具
６…垂直部材
７…水平部材
８…掛止部材
８ａ…掛止面
９…ネジ棒
１０…水平定規
１１…キャッチ具
１２…斜め材
１３…ストッパ
１４…支持用鉄筋
１５…仕切材
１６…第１のアングル板
１７…第２のアングル板
２０…ナット
２１…ボルト
２７…挟持枠
２８…鉄筋挟持部
【図１】
0003653627.tif 000002
【図２】
0003653627.tif 000003
【図３】
0003653627.tif 000004
【図４】
0003653627.tif 000005
【図５】
0003653627.tif 000006
【図６】
0003653627.tif 000007
【図７】
0003653627.tif 000008